【事件の表示】
　特許第２７９１７７２号「複写装置」の特許に対する特許異議の申立てについて、次のとおり決定する。
【結　論】
　訂正を認める。
　特許第２７９１７７２号の特許を維持する。
【理　由】
１．手続きの経緯
　
　特許第２７９１７７２号の特許請求の範囲に記載された発明（以下、「本件発明」という。）は、昭和６２年６月８日に特許出願がなされたものであって、平成１０年６月１９日に本件発明についての特許権の設定登録がなされ、その後、藤掛栄蔵より本件特許に対して特許異議申立がなされ、当審より取消理由通知がなされ、その指定期間内である平成１２年１月２５日に特許権者より特許異議意見書の提出とともに明細書についての訂正請求がなされ、当審より訂正拒絶理由通知がなされ、特許権者より即日に訂正請求についての補正がなされたものである。
　
２．訂正の適否についての判断
　
　ア．訂正請求に対する補正の適否について
　特許権者が求めている訂正請求についての補正は、訂正請求書の訂正事項ａの特許請求の範囲中の「該カラー原稿の任意領域を指定する領域指定手段を有し 」および「前記記録シートサイズ情報」を、それぞれ「該カラー原稿中の位置と大きさが任意の矩形領域を指定する領域指定手段を有し、該領域指定手段によって指定された領域に係る」および「前記記録シートのサイズ情報」と補正し、訂正事項ｂの発明の詳細な説明中の同様の記載のついても同様に補正しようとするものである。
　そこで、これらの補正について検討すると、いずれも訂正請求書において訂正を求めた事項について、その表現が発明の詳細な説明および図面の記載との関係で今一つ明確でなかった点を明確にするものと認められるから、訂正請求書の要旨を変更するものではなく、特許法第１２０条の４第３項において準用する同法第１３１条第２項の規定に適合する。
　
　イ．訂正の内容
　したがって、特許権者が求めている訂正の内容は、次のとおりである。
　訂正事項ａ　特許明細書の特許請求の範囲中の、
「セットされたカラー原稿を読取って画像信号を得る手段と、該信号に基いて画像を再生し記録シートにプリントする手段と、記録シートを１枚あて送る手段とを備えた複写装置において、一度にセットされたカラー原稿の画像信号に基いてイエロー、マゼンタ、シアンのトナー濃度を複数の段階で変化させた互いに色調の異なる複数のカラー画像が１枚の記録シートに重ならないようにプリントされることを特徴とする複写装置。」
を、
「セットされたカラー原稿を読取って画像信号を得る手段と、該信号に基いて画像を再生し記録シートにプリントする手段と、記録シートを１枚あて送る手段とを備えた複写装置において、該カラー原稿中の位置と大きさが任意の矩形領域を指定する領域指定手段を有し、該領域指定手段によって指定された領域に係る一度にセットされたカラー原稿の画像信号に基いてイエロー、マゼンタ、シアンのトナー濃度を複数の段階で変化させた互いに色調が異なり、該領域指定手段によって指定された領域指定情報と前記記録シートのサイズ情報より決められた数の複数のカラー画像が１枚の記録シートに重ならないようにプリントされることを特徴とする複写装置。」
と訂正する。
　訂正事項ｂ　明細書第３頁第１７行目から第５頁第４行目（特許公報では第２頁第３欄第１８行目から第３６行目）の「本発明は、・・（中略）・・以下、本発明を」を、
「本発明は、本発明者らの上述の着想に基いてなされたものであり、原稿読取り手段によって読み取ったカラー原稿の画像情報に基づき、１枚の記録シートに複数の互いに異なる画像をプリントできる複写装置、より具体的には複写の画像を互いに色調の異なるカラー画像とすることでカラーデザインに便利な画像を得ることができる複写装置の提供を目的とする。
〔発明の構成〕　本発明は、セットされたカラー原稿を読取って画像信号を得る手段と、該信号に基いて画像を再生し記録シートにプリントする手段と、記録シートを１枚あて送る手段とを備えた複写装置において、該カラー原稿中の位置と大きさが任意の矩形領域を指定する領域指定手段を有し、該領域指定手段によって指定された領域に係る一度にセットされたカラー原稿の画像信号に基いてイエロー、マゼンタ、シアンのトナー濃度を複数の段階で変化させた互いに色調が異なり、該領域指定手段によって指定された領域指定情報と前記記録シートのサイズ情報より決められた数の複数のカラー画像が１枚の記録シートに重ならないようにプリントされることを特徴とする複写装置によって構成される。
　〔実施例〕　
　以下、本発明を」
と訂正する。
　
　ウ．訂正の目的の適否、拡張・変更の有無
　上記訂正内容は、訂正事項ａの特許請求の範囲についてのものは特許請求の範囲の減縮を目的とするものであり、訂正事項ｂの発明の詳細な説明についてのものは特許請求の範囲の記載と整合をとるための明りょうでない記載の釈明を目的とするものであって、これらはいずれも特許明細書および図面に記載された事項の範囲内のものであり、実質上特許請求の範囲を拡張するものとも変更するものとも認められない。
　
　エ．独立特許要件の判断　　　
　そこで、訂正後の本件発明について、これが特許出願の際に独立して特許をうけることができるものであったか否かについて検討する。
　訂正明細書の本件発明の要旨は、上記イ．の訂正事項ａに掲記の訂正後の記載のとおりと認められる。
　一方、特許明細書の本件発明に対して当審が通知した取消理由で引用した刊行物１（特開昭６２−４３６５９号公報；特許異議申立人が引用した甲第１号証）には、像形成装置に関する発明が開示されており、明細書には
(a)「この発明は、簡単にいえば、テストモードを指定するための手段、およびテストモードにおいて１枚の記録紙に少なくとも２種類の濃度レベルの画像を形成する画像形成手段を備える、像形成装置である。」（２頁右上欄６ないし１０行）
(b)「この発明によれば、１枚の記録紙に異なる濃度レベルの画像が同時に形成できるので、濃度レベルの比較が従来に比べて一層簡単に行なえる。したがって、いわゆる「ためし刷り」が従来に比べて少なくてすみ、濃度レベルの設定が簡単になる。」（２頁右上欄１６ないし２０行）
(c)「可動鏡１２０によって入射された原稿像が可動鏡１２２および１２４を経てレンズ１２６を通して受光素子１８０に入射される。この受光素子１２８では、入射された原稿像を光電変換し、原稿に応じた電気信号を出力する。受光素子１８０からの電気信号は画像処理部１８２に与えられる。この画像処理部１８２では、画像１ｍｍ２当たり約２５６画素（ドット）に解像されて、その１画素毎に濃度レベルをたとえば１２段階に区分してその濃度レベルとともにメモリ（図示せず）に格納される。この画像処理部１８２のメモリに格納されたデータに応じて、レーザスキャナ１８４が、１画像毎のレーザビームを出力する。このレーザスキャナ１８４からのレーザビームが、固定鏡１２８によって反射されて感光体１３０上に入射される。感光体１３０に関連して、先の第２図実施例と同じように、帯電コロトロン１３２，現像装置ｌ３４および転写コロトロン１４０が設けられる。したがって、転写コロトロン１４０によって、給紙カセット１３６から送られた記録紙１３８に、トナ−像が転写される。
　第８図に示す操作部１８６には、テストキー１５４が設けられるとともに、表示器１８８および部分指定キー１９０が設けられる。表示器１８８は、オペレータに対して、原稿のどの部分を濃度を変えて記録するのかを質問するたとえば「テストポイントヲオシテクダサイ」の表示が行なわれる。この表示器１８８の表示を見て、オペレータは、第９図に示すそれぞれの部分のどの部分をテスト印字すればよいかを設定する。たとえば部分Ａ６を設定するために部分指定キー１９０の該当のキー「６」が操作されたとすると、第９図に示す部分Ａ６がテストモードに利用される。そして、テストキー１５４が操作されると、画像処理部１８２では、第９図の斜線で示す部分Ａ６の画像データの濃度レベルを補正してそのメモリの所定エリアに格納しなおす。第１０図でいえば、格納された原稿データのうち、部分Ａ６に対応するデータ（たとえばアドレス０５１００００００〜）を読み出して他の部分Ａ１〜Ａ５およびＡ７〜Ａ１２のメモリエリアに＋６〜‐５の濃度レベルの補正を加えて格納する。このとき、濃度レベルは“０〜０Ｂ”までの１２段階であるので、“０”以下の場合は“０”とし、“０Ｂ”以上の場合は“０Ｂ”として格納する。
　その後、記録紙１３８に相当するメモリエリアから順次データを取り出し、そのデータに応じてレーザスキャナ１８４からのレーザビームの出力を変えるようにする。そうすれば、第１１図に示すように、記録紙１３８上の１２の部分に、それぞれ異なる濃度レベルの画像が紀録される。このとき記録される画像はそれぞれの部分において同じ部分Ａ６（第９図）のものであることはいうまでもない。」（４頁右下欄３行ないし５ページ右上欄１７行）
(d)「この発明は、カラー記録の場合の色調の設定についても適用できる。色調を設定する場合にも、同じように、記録紙を複数の領域に区分して、その領域毎に異なる色調で記録されるようにすればよい。」（５頁右下欄１行ないし５行）
という記載があり、また、図面第１１図には、同じ部分の画像がそれぞれ異なる濃度レベルで１枚の記録紙に記録された状態が図示されている。
　同じく刊行物２（特開昭５９−１６１９７９号公報；特許異議申立人が引用した甲第２号証））には、画像処理装置に関する発明が開示されており、明細書には、
(e)「原画像を色分解フィルタにより三色に色分解し、各色分解毎に原画像を走査し色分解された光像により潜像を感光体上に形成して補色の現像剤により現像し、多色重ね合わせを行い、カラー画像を再現するカラー複写機がある。」（１頁右下欄７行ないし１１行）
(f)「次に第３−３図に従って、サブコントロールユニット４２１について説明する。４２−１４，−１５，−１６はＣＣＤで読み取られ Ａ/Ｄ変換器で量子化された８ビットの画像データに対して、読み取りデータの階調性を補正するγ補正回路１４０（後述する）に接続されたスイッチ群であり、各々デジタルコードを発生する。 ロータリーデジタルコードスイッチにより構成されており、後述するごとくγ補正回路内のデータ変換テーブルが格納された複数のメモリ素子から、所望のγ特性を有するデータ変換用メモリ素子を選択する様に接続されている。
　４２１−５〜−１３は、マスキング処理用スイッチ群であり、後述するマスキング処理回路１５０において、入力のイエロー画像データＹi，マゼンタ画像データＭｉ，シアン画像データＣｉに対して次式の変換を施す際の係数ａｉ，ｂｉ，ｃｉ（ｉ＝１，２，３）を定め、これらは上記スイッチ群４２１−１４，−１５,−１６と同様、０〜１６までのデジタルコードを発生するロータリーデジタルコードスイッチにより構成されている。なおマスキング処理の為のデータ変換は次式の如くなる。
　Ｙ０＝ａ１Ｙｉ−ｂ１Ｍｉ−ｃ１Ｃｉ
　Ｍ０＝−ａ２Ｙｉ＋ｂ２Ｍｉ−ｃ２Ｃｉ
　Ｃ０＝ａ３Ｙｉ−ｂ３Ｍｉ＋ｃ３Ｃｉ
又、４２１−１,−２，−３，−４は後述するＵＣＲ処理回路１６０ における、各Ｙ，Ｍ，Ｃ，ＢＫのデータの、補正用係数を与えるローターデジタルスイッチである。又４２１−２０，２１，２２，２３は、各々高圧発生装置７７に接続されるボリウムであり、感光ドラムの負の一様帯電を行なう帯電器２５に流れる電流を制御し、これにより画像の色毎の濃淡を調整でき、カラーバランスを変える事ができる。」（４頁左下欄４行ないし右下欄１８行）
という記載がある。
　そこで訂正明細書の本件発明とこれらの刊行物に記載の発明を対比すると、これらの刊行物に開示されているものは、本件訂正明細書の本件発明に不可欠の事項である「カラー原稿中の位置と大きさが任意の矩形領域を指定する領域指定手段を有し、該領域指定手段によって指定された領域に係る一度にセットされたカラー原稿の画像信号に基いてイエロー、マゼンタ、シアンのトナー濃度を複数の段階で変化させた互いに色調が異なり、該領域指定手段によって指定された領域指定情報と前記記録シートのサイズ情報より決められた数の複数のカラー画像が１枚の記録シートに重ならないようにプリントされる」ようにしたものではなく、この点に関してはいずれの刊行物にも明記も示唆する記載も見あたらない。
　すなわち、刊行物１のものは、上記摘示した記載によれば、モノカラー画像について１枚の記録紙に異なる濃度レベルの画像を形成するようにしてそれにより濃度レベルの設定を簡単に行えるようにしたものであって、第７図ないし第１１図の実施例についての記載を見ると、原稿について予め区画割が決められている区画部分の内どの区画部分を濃度を変えて記録するかを設定することによりその部分だけの画像が濃度を変えて１枚の記録紙に隙間なく記録されることが説明されている。そして、明細書の末尾には、カラー記録の場合の色調の設定にも利用でき、領域毎に異なる色調で記録されるようにすればよいことも説明されている。
　しかしながら、カラー原稿中の位置と大きさが任意の矩形領域を指定する領域指定手段を有し、この指定手段によって指定された領域について異なる色調のカラー画像をプリントするものであって、しかも、１枚の記録シートに重ならないようにプリントされるカラー画像の数が領域指定手段によって指定された領域指定情報と前記記録シートのサイズ情報より決められるものである点については、明細書および図面に明記のみならず示唆する記載も見あたらない。
　また、刊行物２のものは、原画像を色分解フィルタにより三色に色分解し、各色分解毎に原画像を走査し色分解された光像により潜像を感光体上に形成して補色の現像剤により現像し、多色重ね合わせを行い、カラー画像を再現するカラー複写機を前提にした、色毎すなわちイエロー、マゼンタ、シアン毎にγ補正の特性を選択可能にしてカラー画像の階調性を向上させた画像処理に関するものであるが、その明細書および図面には、カラー原稿中の位置と大きさが任意の矩形領域を指定する領域指定手段を有し、この指定手段によって指定された領域について異なる色調のカラー画像をプリントするものであって、しかも、１枚の記録シートに重ならないようにプリントされるカラー画像の数が領域指定手段によって指定された領域指定情報と前記記録シートのサイズ情報より決められるものである点については、明記のみならず示唆する記載も見あたらない。
　したがって、引用例１、引用例２に開示されている発明を、どのように取捨選択して組み合わせても、カラー原稿中の位置と大きさが任意の矩形領域を指定する領域指定手段を有し、該領域指定手段によって指定された領域に係る一度にセットされたカラー原稿の画像信号に基いてイエロー、マゼンタ、シアンのトナー濃度を複数の段階で変化させた互いに色調が異なり、該領域指定手段によって指定された領域指定情報と前記記録シートのサイズ情報より決められた数の複数のカラー画像が１枚の記録シートに重ならないようにプリントされるという点は、得られようがないから、訂正後の本件発明を引用例１または引用例２に記載された発明とも、これらに基づいて当業者が容易に推考できたものともいうことができない。
　そして、他に訂正後の本件発明の特許についてこれを取り消すべき理由は発見できないから、訂正後の本件発明を、出願の際に独立して特許を受けることができない発明とはいうことができない。
　
　オ．むすび
　以上のとおりであるから、本件訂正請求は、特許法第１２０条の４第２項及び同第３項で準用する第１２６条第２〜４項の規定に適合するので、本件訂正を認める。
　
３．特許異議の申立についての判断
　
　ア．特許異議申立の理由の概要
　異議申立人藤掛栄蔵は、本件発明は、甲第１号証（特開昭６２−４３６５９号公報）および甲第２号証（特開昭５９−１６１９７９号公報）に記載された発明に基づいて当業者が容易に発明をすることができたものであるから、特許法第２９条第２項の規定により特許を受けることができないものであり、したがって、本件発明に係る特許は、取り消されるべきものである旨主張している。
　
　イ．判断
　本件発明については上記２．エで認定したとおり訂正されたので、訂正後の本件発明について特許異議申立の理由の当否について検討すると、訂正後の本件発明が甲第１号証および甲第２号証に記載された発明に基づいて当業者が容易に発明をすることができたものということができないことは、上記２．エで示したとおりである。　
　したがって、特許異議申立の理由及び証拠によっては本件発明に係る特許を取り消すことができない。
　よって、結論のとおり決定する。
【異議決定日】
平成１２年６月２１日（２０００．６．２１）
【訂正の要旨】
　訂正事項ａ　特許明細書中の特許請求の範囲について、
「セットされたカラー原稿を読取って画像信号を得る手段と、該信号に基いて画像を再生し記録シートにプリントする手段と、記録シートを１枚あて送る手段とを備えた複写装置において、一度にセットされたカラー原稿の画像信号に基いてイエロー、マゼンタ、シアンのトナー濃度を複数の段階で変化させた互いに色調の異なる複数のカラー画像が１枚の記録シートに重ならないようにプリントされることを特徴とする複写装置。」
を、特許請求の範囲の減縮を目的として、
「セットされたカラー原稿を読取って画像信号を得る手段と、該信号に基いて画像を再生し記録シートにプリントする手段と、記録シートを１枚あて送る手段とを備えた複写装置において、該カラー原稿中の位置と大きさが任意の矩形領域を指定する領域指定手段を有し、該領域指定手段によって指定された領域に係る一度にセットされたカラー原稿の画像信号に基いてイエロー、マゼンタ、シアンのトナー濃度を複数の段階で変化させた互いに色調が異なり、該領域指定手段によって指定された領域指定情報と前記記録シートのサイズ情報より決められた数の複数のカラー画像が１枚の記録シートに重ならないようにプリントされることを特徴とする複写装置。」
と訂正する。
　訂正事項ｂ　明細書第３頁第１７行目から第５頁第４行目（特許公報第２頁第３欄第１８行目から第３６行目）の「本発明は、・・（中略）・・以下、本発明を」を、不明りょうな記載の釈明を目的として、
「本発明は、本発明者らの上述の着想に基いてなされたものであり、原稿読取り手段によって読み取ったカラー原稿の画像情報に基づき、１枚の記録シートに複数の互いに異なる画像をプリントできる複写装置、より具体的には複写の画像を互いに色調の異なるカラー画像とすることでカラーデザインに便利な画像を得ることができる複写装置の提供を目的とする。
〔発明の構成〕　本発明は、セットされたカラー原稿を読取って画像信号を得る手段と、該信号に基いて画像を再生し記録シートにプリントする手段と、記録シートを１枚あて送る手段とを備えた複写装置において、該カラー原稿中の位置と大きさが任意の矩形領域を指定する領域指定手段を有し、該領域指定手段によって指定された領域に係る一度にセットされたカラー原稿の画像信号に基いてイエロー、マゼンタ、シアンのトナー濃度を複数の段階で変化させた互いに色調が異なり、該領域指定手段によって指定された領域指定情報と前記記録シートのサイズ情報より決められた数の複数のカラー画像が１枚の記録シートに重ならないようにプリントされることを特徴とする複写装置によって構成される。
　〔実施例〕
　以下、本発明を」
と訂正する。
（５４）【発明の名称】
複写装置
（５７）【特許請求の範囲】
　セットされたカラー原稿を読取って画像信号を得る手段と、該信号に基いて画像を再生し記録シートにプリントする手段と、記録シートを１枚あて送る手段とを備えた複写装置において、該カラー原稿
中の位置と大きさが任意の矩形
該領域指定手段によって指定された領域に係る
の
【発明の詳細な説明】
〔産業上の利用分野〕
　本発明は、電子写真複写機やファクシミリ等の複写装置に関し、原稿読取り手段が原稿から読み取った画像信号に基いて記録シートに画像をプリントする複写装置であって、特に記録シートが１枚あて送られる複写装置に関する。
〔発明の背景〕
　上述のような従来の複写装置は、記録シートが１枚送られる間に原稿読取り手段にセットされた原稿の画像再生が１回だけ行われて、１枚の記録シートに１画像だけプリントされるものであり、同じ原稿の画像を複数再生したい場合、たとえ記録シートに十分な余白があっても、１枚の記録シートに１画像あてのプリントを繰返していた。この問題点を解消した複写装置として、原稿の複写サイズの倍以上の大きな記録シートに複写を行うときは、縦横について並列数を指定して複写を行うと、原稿から読み取った画像信号に基いて１枚の記録シートに縦横指定数だけ並んだ複数の原稿画像の複写が行われる合成複写装置が特開昭６１−２３４６６２号公報によって知られている。この複写装置は、記録シートの余白を利用して同じ原稿画像を複数複写するだけのものである。
　本発明者らは、原稿読取り手段を備えた複写装置においては、例えば特開昭６１−１２３２７０号公報に見るように、記録シートヘの画像のプリント位置を変えることは簡単にでき、その応用として、１枚の記録シートに同じ原稿の再生画像を複数重ならないように並べてプリントすることも簡単にできるから、特開昭６１−２３４６６２号公報の発明の記録シートの余白の利用と複数複写の場合の手間の軽減とだけを目的とした複写装置では不満足であり、より多くの目的を達成し得る複写装置として、積極的に色再現の条件を各画像毎に変えるようにすることで、カラーデザインに便利なカラー画像を得ることもできると考えた。
〔発明の目的〕
　本発明は、本発明者らの上述の着想に基いてなされたものであり、原稿読取り手段によって読み取ったカラー原稿の画像情報に基づき、１枚の記録シートに複数の互いに異なる画像をプリントできる複写装置、より具体的には複写の画像を互いに色調の異なるカラー画像とすることでカラーデザインに便利な画像を得ることができる複写装置の提供を目的とする。
〔発明の構成〕
　本発明は、セットされたカラー原稿を読取って画像信号を得る手段と、該信号に基いて画像を再生し記録シートにプリントする手段と、記録シートを１枚あて送る手段とを備えた複写装置において、該カラー原稿中の位置と大きさが任意の矩形領域を指定する領域指定手段を有し、該領域指定手段によって指定された領域に係る一度にセットされたカラー原稿の画像信号に基いてイエロー、マゼンタ、シアンのトナー濃度を複数の段階で変化させた互いに色調が異なり、該領域指定手段によって指定された領域指定情報と前記記録シートのサイズ情報より決められた数の複数のカラー画像が１枚の記録シートに重ならないようにプリントされることを特徴とする複写装置によって構成される。
〔実施例〕
　以下、本発明を図示例によって説明する。
　第１図は本発明複写装置の一例を示す概要構成側面図、第２図は操作パネルの部分平面図、第３図は原稿押えの上面図、第４図は画像情報処理回路の一例を示すブロック回路図である。
　第１図において、１は上面部に第３図に示したようなデジタイザを設けられている原稿押え、２は原稿載置台の定位置に置かれ、原稿押え１によって押さえられている原稿をリアルタイムで走査露光して読み取る原稿読取り手段、２ａは原稿読取り手段２のカラーイメージセンサ、３は画像再生記録部、３ａはカラーイメージセンサ２ａからの情報を処理して画像信号を出力する第４図の画像情報処理信号４の信号により像露光を出力するレーザビームスキャナである画像再生記録部３は、第２図の操作パネル部５において特別の指定を行うことなくスタート釦５ａを押した場合は、以下述べるような画像再生記録動作を行う。
　感光ドラム３ｂが矢印方向に回転し、その表面をクリーニング装置３ｃがクリーニングした後、帯電器３ｄが一様に帯電させる。その帯電面にレーザビームスキャナ３ａが例えばシアン（Ｃ）成分像の像露光を入射し、それによってドット構成の静電像を形成する。この像露光は、第４図の画像情報処理装置４が原稿読取り手段２の第１回の読み取りでカラーイメージセンサ２ａの出力するＢ，Ｇ，Ｒ信号を処理してＹ，Ｍ，Ｃ信号を得たら、セレクタを介してＣ信号のみをディザ処理回路でオン，オフ信号に変換してレーザビームスキャナ３ａに出力することにより行われている。この像露光で形成された静電像を現像器３ｅＣがＣトナー像に現像する。このＣトナー像を形成された面は、不作動状態になっている他の現像器３ｅＭ，３ｅＹ，３ｅＢ、転写前除電手段３ｆ、転写器３ｇ、分離器３ｈ、クリーニング前除電手段３ｉ、クリーニング装置３ｃの位置を通過して、再びレーザビームスキャナ３ａの像露光入射位置に達する。この前に必要に応じ、帯電器３ｄによりＣトナー像形成面を再び一様に帯電することが行われる。これは、先に形成されたＣトナー像に後の現像で別の色トナーが付着することを防止すると共に、減衰によって低下した感光ドラム３ｂの表面電位を高めて次に形成される静電像の電位差を大きくするためである。
　Ｃトナー像形成面がレーザビームスキャナ３ａの像露光入射位置に達したら、レーザビームスキャナ３ａは前と同様に、今度は例えばマゼンタ（Ｍ）成分像の像露光を入射する。この像露光は、原稿読取り手段２の第２回の読み取りで、画像情報処理装置４がセレクタを介してＭ信号のみをディザ処理回路でオン，オフ信号に変換し、レーザビームスキャナ３ａに出力することにより行われる。この像露光で形成された静電像を現像器３ｅＭがＭトナー像に現像し、それによって感光ドラム３ｂにＣトナー像とＭトナー像の合成像が形成される。この合成像を有する面が前と同様にレーザビームスキャナ３ａの像露光入射位置に達したとき、レーザビームスキャナ３ａが再び前と同様に、今度はイエロー（Ｙ）成分像の像露光を入射する。この像露光は、原稿読取り手段２の第３回の読み取りで、画像情報処理装置４がセレクタを介してＹ信号のみをディザ処理回路でオン，オフ信号に変換し、レーザビームスキャナ３ａに出力することにより行われる。この像露光で形成された静電像を現像器３ｅＹがＹトナー像に現像し、それにより感光ドラム３ｂにＣ，Ｍ，Ｙトナー像の合成からなるカラー画像が形成される。このカラー画像をコロナ放電器と露光ランプとから成る転写前除電手段３ｆが転写し易くして、転写器３ｇが送り込み手段３ｊによって送り込まれて来る記録シートに転写させ、その記録シートを分離器３ｈが感光ドラム３ｂから分離する。分離された記録体は、定着器３ｋによってカラー画像を定着させ、機外に排出される。
　一方、カラー画像を転写した感光ドラム３ｂの表面は露光ランプとコロナ放電器とから成るクリーニング前除電手段３ｉによって残留トナーを除去し易くされ、クリーニング装置３ｃによって残留トナーを除かれて、再び次のカラー画像形成が行われる状態に戻る。
　第２図の操作パネル部５の４色カラー釦５ｂを押した場合は、それにより第４図の画像情報処理装置４のスイッチング回路４ａが色補正回路の出力をＵＣＲ・墨版生成回路に入力し、それに伴ってＵＣＲ・墨版生成回路の出力がセレクタに入力するように切換えられる。そこでスタート釦５ａを押すと、この場合は、先に述べたように感光ドラム３ｂにＹ，Ｍ，Ｃトナー像の合成からなるカラー画像が形成されてもまだ転写されず、そのカラー画像形成面がレーザビームスキャナ３ａの像露光入射位置に達したときに、レーザビームスキャナ３ａがさらに像露光を入射する。この像露光は、原稿読取り手段２の第４回の読み取りで、画像情報処理装置４がセレクタを介してＵＣＲ・墨版生成回路の出力のうちの墨（ＢＫ）像を与えるＢＫ信号のみを単一閾値処理回路でオン，オフ信号に変換し、レーザビームスキャナ３ａに出力することにより行われる。この像露光で形成された静電像を現像器３ｅＢにより黒トナー像に現像する。これによってＹ，Ｍ，Ｃ，黒トナー像の合成からなるカラー画像が感光ドラム３ｂ上に形成され、この４色カラー画像がＹ，Ｍ，Ｃ３色カラー画像の場合と同様に記録シートに転写，定着される。そして、４色カラー画像を転写した感光ドラム３ｂの表面も３色カラー画像の場合と同様クリーニングされて、次のカラー画像を形成される状態に戻る。なお、４色カラー釦５ｂが押されている４色モードではランプ５ｂ１が点灯し、その状態でまた４色カラー釦５ｂを押せばランプ５ｂ１が消灯して３色モードに戻る。なお、カラートナーによる現像順は、以上の例に限らず、黒，Ｙ，Ｍ，Ｃ等のように任意に変更できる。これは、色再現のためのトナーの色調に応じて決められる。
　第２図の領域指定釦５ｃを押し、第３図のデジタイザの（ｘ１，ｙ１）点と（ｘ２，ｙ２）点を押して、Ｘ＝ｘ１〜ｘ２，ｙ＝ｙ１〜ｙ２の範囲を指定したときは、スタート釦５ａを押すと、記録シートには第３図の（ｘ１，ｘ２）点が０点位置を占め、（ｘ２，ｙ２）点が（ｘ２−ｘ１，ｙ２−ｙ１）点位置を占めるように指定領域の画像がプリントされる。この領域指定は、原稿押え１上に原稿を第３図に右上がり斜線を施して示したように載せ、そこで原稿の上から（ｘ１，ｙ１），（ｘ２，ｙ２）点を押すことによってなされる。そして、スタート釦５ａを押す前には、この原稿は原稿載置台上に第３図と同様に載せられて原稿押え１により押さえられる。また、領域指定によるプリント位置のシフトは、プリンタのＣＰＵの制御により画像情報処理装置がデジタイザからの指定情報に基いてＸ＝ｘ２−ｘ１，ｙ＝ｙ２−ｙ１の範囲に対応する画像信号のみをレーザビームスキャナ３ａに出力して、しかもその出力の位相が領域指定のない場合よりｙ１×ｎ（但し、ｎは単位長さ当たりのドット数）ドット分だけ実質的に進められること、及び記録シートの送り込みタイミングがＣＰＵの制御により領域指定のない場合よりもｘ１／ｖ（但し、Ｖは感光ドラム３ｂの表面速度）時間だけ遅らされることによって行われる。なお、領域指定釦５ｃを押すとランプ５ｃ１が点滅して第３図デジタイザにより領域指定をなし得ることを示し、第３図のデジタイザで領域指定すると点滅が点灯に変わる。領域指定解除は領域指定釦５ｃを今一度押すと、ランプ５ｃ１が消灯して行われる。
　領域指定されずに、原稿載置台に第３図に斜線を施して示したような原稿が置かれて、第２図の複数指定釦５ｄのみが押された場合は、ランプ５ｄ１，５ｄ２，５ｄ３が、別途指定された記録シートのサイズがＢ５またはＡ４のときは、１×２を表示し、記録シートのサイズがＢ４またはＡ３のときは、２×２を表示する。このランプ５ｄ１の１または２の表示は、ｘＢ５／ｘ０もしくはｘＡ４／ｘ０の商の１またはｘＢ４／ｘ０もしくはｘＡ３／ｘ０の商の２であり、ランプ５ｄ３の２の表示は、ｙＢ４／ｙ０またはｙＡ３／ｙ０の商の２である。したがって、領域指定が（ｘ１，ｙ１），（ｘ２，ｙ２）と行われて、複数指定釦５ｄが押された場合は、ランプ５ｄ１は記録シートＢ５のときｘＢ５／（ｘ２−ｘ１）の商、Ｂ４のときｘＢ４／（ｘ２−ｘ１）の商、Ａ４のときｘＡ／（ｘ２−ｘ１）の商、Ａ３のときｘＡ３／（ｘ２−ｘ１）の商を表示し、ランプ５ｄ３は記録シートＢ５のときｙＢ５／（ｙ２−ｙ１）の商、Ｂ４のときｙＢ４／（ｙ２−ｙ１）の商、Ａ４のときｙＡ４／ｙ２−ｙ１）の商、Ａ３のときｙＡ３／（ｙ２−ｙ１）の商を表示する。また、ｎ倍の変倍プリントが行われる場合は、上述のｘ０，ｙ０，（ｘ２−ｘ１），（ｙ２−ｙ１）をそれぞれｎ倍にする。この表示のプリント数は記録シートのサイズ情報と原稿サイズ情報または領域指定情報から演算によって求められる最大数であり、それをランプ５ｄ２がＸの点滅で表示する。この最大数をテンキー等で変更することができる。この場合、１以上の最大数より小さい値への変更は許容されて、ランプ５ｄ１，５ｄ３が変更された値を表示し、ランプ５ｄ２は点滅から点灯に変わるが、０や最大数より大きい値への変更は受け付けない。プリント枚数等を設定するテンキー等で上述の変更を行うようにスる場合は、プリント枚数等の設定と間違わないように、例えばテンキーによる入力を受け入れるゲートの任意指定釦を別に設けるとか、複数指定釦５ｄが押されてから適当な短時間だけ変更入力ができるようにする等の配慮が必要である。
　以上のように複数指定が行われて、スタート釦５ａが押されると、領域指定が行われていない場合、第３図に斜線を施して示した原稿の画像は、同じく第３図にＢ５，Ｂ４，Ａ４，Ａ３で示した記録シートに斜線範囲と点線範囲で示したようにプリントされる。このような複数プリントは、第３図にｙ方向で示した主走査方向について、画像情報処理装置４の図示してないラインメモリに一旦書き込まれた画像信号をｙＢ５／ｙ０またはｙＡ４／ｙ０の商の回数だけ繰返し続出してレーザビームスキャナ３ａに入力すること、および、Ｘ方向で示した副主査方向について、先に述べた原稿読取り手段２の３回または４回の読み取りをｘＢ５／ｘ０もしくはｘＡ４／ｘ０またはｘＢ４／ｘ０もしくはｘＡ３／ｘ０の商が与える複数回だけ繰返させ、そして繰返しの読み取りタイミングを先に行われた読み取りのタイミングよりｘ０／ｖ時間遅らせることによってなされる。Ｘ方向についての複数プリントを等倍で例えばプリント画像間にほゞｘ０×ｖ／ｖ′（但し、ｖ′は原稿読取り手段２の戻り速度）の距離を開けて行うようにした場合は、上述のタイミング変更をしなくて済むようにできるし、またｘ方向に並ぶ複数のプリントを共にまずＹトナーで現像し、次にＭトナーで現像し、その次にＣトナーで現像し、あるいはさらに黒トナーで現像するように、並行的に形成させることもできる。この場合のＸ方向についての最大繰返し数は、例えばＢ４の記録シートの場合、ｘＢ４／ｘ０（１＋ｖ／ｖ′）の商で求められる。なお、画像情報処理装置４がページメモリを有し、原稿読取り手段２の１回の読み取りでＹ，Ｍ，Ｃ，ＢＫすべての画像信号がページメモリに記憶されるプリンタでは、Ｘ方向もＹ方向と同様、ページメモリから画像信号を繰返して読み出してレーザビームスキャナ３ａに入力することで、簡単に第３図に点線枠配列で示したような余白のない複数プリントを行うことができる。
　領域指定がなされて複数指定が行われ、スタート釦５ａが押された場合は、領域指定がなされない場合のｘ０，ｙ０の代わりに（ｘ２−ｘ１），（ｙ２−ｙ１）が用いられる条件で複数プリントが行われる。この場合の送り込みタイミングは、先に述べた領域指定の場合と同じである。
　小サイズ原稿や領域指定による小領域の画像は、以上のような複数指定を行うことによって、複数の画像を１枚の記録シートに複製することができ、各画像を切離してそれぞれ別個に利用することができるから比較的安価に得られる。また、複数の画像色がバランスの変動少なくて得られる。
　複数指定を行って、さらに色変換ボタン５ｅを押し、次いでテンキー等により色コードを指定した場合は、スタート釦５ａを押すことにより、原稿画像のＹ，Ｍ，Ｃ成分像がそれぞれＹ，Ｍ，Ｃトナー像として再現されたカラー画像と、色コードによって指定された異なった色のトナー像として再現されたカラー画像とが１枚の記録シートにプリントされるようになる。色コードは、原稿色のＹ，Ｍ，ＣとトナーのＹ，Ｍ，Ｃおよびその濃度との２７通り組合せのうち、Ｙ−Ｙ，Ｍ−Ｍ，Ｃ−Ｃの標準濃度の組合せを除いた２６通りの組合せにコード番号が付されていて、それらコード番号を順次テンキー等で入力すれば複数指定でプリントされる画像数より１だけ少ない数のコード番号が指定され、ランプ５ｅ１，５ｅ２，５ｅ３，５ｅ４，５ｅ５，５ｅ６に順次表示される。この場合は、リアルタイムの原稿読取り手段２の原稿読み取りやレーザビームスキャナ３ａによる感光ドラム３ｂへの書き込みは、３色カラーモードで複数指定の指定数の３倍回行われることにより、それに伴って感光ドラム３ｂも同じ数は回転することになる。画像情報処理装置４にページメモリが用いられ、原稿読取り手段２の読み取りが１回だけのプリントでも、この場合のレーザビームスキャナ３ａの書き込み回数や感光ドラム３ｂの回転数は変わらない。
　このように色変換を可能にしたことによって、カラーデザインを容易に行うことができる。
　以上は最終的な画像プリントを行う場合であるが、これに対して、画像プリントを行う前にカラー画像の３色調節を行い度い場合は、例えば原稿台に標準カラー原稿を第３図に斜線で示したように置いて第２図の分解像釦５ｆを押す。それによって、例えばＢ４またはＡ３の記録シートに第３図に斜線で示した位置にはＹ成分の静電像を黒トナーで現像した画像が、その下の点線枠位置にはＭ成分静電像を黒トナーで現像した画像が、その右の点線枠位置にはＢＫ成分の静電像を黒トナーで現像した画像が、その上の点線枠位置にはＣ成分の静電像を黒トナーで現像した画像がそれぞれプリントされるようになる。そして、これらのプリント画像を見てＢ，Ｇ，Ｒの色補正条件を設定することにより、カラー画像形成の色調節を行うことができる。
　本発明は、以上述べた電子写真方式の複写装置に限らず、サーマルヘッドを用いる複写装置やインクジェットによる複写装置にも適用できる。サーマルヘッドを用いる複写装置の場合は、転写型でも発色型でも複写の画像を密接して並べた状態でプリントすることが記録シートの送りのオン，オフで簡単にでき、インクジェットによる複写装置の場合も同様である。また、転写型サーマルヘッド複写装置やインクジェット複写装置では、電子写真方式複写装置よりも色変換が簡単にできる。
〔発明の効果〕
　本発明の複写装置は、原稿読取り手段にセットした原稿の画像を１枚の記録シートに複数プリントすることができ、色調を変えてプリントすることでカラーデザインに便利な画像を得ることができるという効果を奏し得る。
【図面の簡単な説明】
　第１図は本発明プリンタの一例を示す概要構成側面図、第２図は操作パネルの部分平面図、第３図は原稿押さえの上面図、第４図は画像情報処理回路の一例を示すブロック回路図である。
　１……原稿押え、
　２……原稿読取り手段、
２ａ……カラーイメージセンサ、
　３……画像再生記録部、
３ａ……レーザビームスキャナ、
３ｂ……感光ドラム、
３ｃ……クリーニング装置、
３ｄ……帯電器、
３ｅＹ，３ｅＭ，３ｅＣ，３ｅＢ……現像器、
３ｆ……転写前除電手段、
３ｇ……転写器、
３ｈ……分離器、
３ｉ……クリーニング前除電手段、
３ｊ……送り込み手段、
３ｋ……定着器、
　４……画像情報処理装置、
４ａ……スイッチング回路、
　５……操作パネル部、
５ａ……スタート釦、
５ｂ……４色カラー釦、
５ｃ……領域指定釦、
５ｄ……複数指定釦、
５ｅ……色変換釦、
５ｆ……分解像釦